(57)【要約】【課題】加湿量を増加できるとともに、騒音値を下げることのできる加湿装置を提供することを目的とする。【解決手段】空気流路３に送風手段４を設けた本体５と、本体５の空気流路３に給水タンク６から一定水位に保たれるように設けた水槽７と、水槽７の貯留水８に常に下部を浸し空気流路３内に回転可能に軸支される複数の加湿フィルター部１０とを備え、加湿フィルター部１０を空気流路３内に平行に配設し、加湿フィルター部１０間を滑らかに空気が流れることにより、加湿量を増加できるとともに、騒音値を下げることができる加湿装置が得られる。【選択図】図１
2007139251.tif 000002
【特許請求の範囲】
【請求項１】
吸込口と吹出口を連通し形成された空気流路に送風手段を設けた本体と、この本体の空気流路に給水タンクから一定水位に保たれるように設けた水槽と、この水槽の貯留水に常に下部を浸し、前記空気流路内に回転可能に軸支される複数の加湿フィルター部とを備え、前記加湿フィルター部を、円板状の支持部と、この支持部の表面に設けた加湿体とにより構成した加湿装置。
【請求項２】
円板状の支持部に保水用の開口部を形成した請求項１記載の加湿装置。
【請求項３】
支持部を、保水性素材で形成した請求項１記載の加湿装置。
【請求項４】
加湿フィルター部の支持部を多孔性の通水可能な素材で形成した請求項１記載の加湿装置。
【請求項５】
加湿フィルター部の加湿体を、支持部の周縁部から中央部に向かい徐々に厚みを大きく形成した請求項１〜４のいずれかに記載の加湿装置。
【請求項６】
加湿フィルター部の加湿体を、支持部の周縁部と中央部に挟まれる円環部の厚みが前記周縁部および中央部より大きくなるように形成した請求項１〜４のいずれかに記載の加湿装置。
【請求項７】
加湿フィルター部の支持部を、一対の補助円板により形成し、前記補助円板間に通水手段を設けた請求項１〜６のいずれかに記載の加湿装置。
【請求項８】
加湿フィルター部の通水手段と加湿体間に設けられる補助円板に、多数の通水孔を形成した請求項７記載の加湿装置。
【請求項９】
通水手段を、補助円板の間に保水性素材を設けて構成した請求項７または８記載の加湿装置。
【請求項１０】
通水手段を、補助円板の間に中心から放射状に広がる複数の通水リブを配設し構成した請求項７または８記載の加湿装置。
【請求項１１】
通水リブの設けられる補助円板の周縁近傍に保水用曲げ部を形成した請求項１０記載の加湿装置。
【請求項１２】
補助円板に設けられる通水リブを湾曲形状に形成した請求項１０または１１記載の加湿装置。
【発明の詳細な説明】
【技術分野】
【０００１】
本発明は、加湿フィルターを回転して加湿する加湿装置に関する。
【背景技術】
【０００２】
従来、この種の加湿装置は、気化フィルターを回転する加湿器が知られている（例えば、特許文献１参照）。
【０００３】
以下、その加湿器について、図１５〜図１７を参照しながら説明する。
【０００４】
図に示すように、全面に小孔１０１を設けた吸水性の良いシート状の素材をプリーツ折りした気化フィルター１０２を、風路方向に空気を通過させるための開口を形成したフィルターケース１０３内に設け、フィルターケース１０３は風路方向の平行な上下左右は気化フィルター１０２を保持するために容易に変形しない強度を有する所定の厚さの樹脂板で形成し、フィルターケース１０３は側面に設けられた中心軸１０４により回転可能としている。
【０００５】
また、フィルターケース１０３の上下面１０５は回転半径と同一半径の円弧形状に形成され、フィルターケース１０３は、風路方向に対して平行に回転できるように構成している。
【特許文献１】特開２００５−３７０１１号公報（［００２０］［００３３］［００３４］、図１〜図３）
【発明の開示】
【発明が解決しようとする課題】
【０００６】
このような従来の加湿器では、気化フィルター１０２がつつれ折り形状で、圧力損失が大きく風量が少なくなり、加湿量を増加できないという課題があり、圧力損失が少なく、風量を増加できるようにすることが要求されている。
【０００７】
また、気化フィルター１０２は円板形状でないため、気化フィルター１０２の回転時の加湿量、風量の変動が大きく不安定でロスの大きな運転となるという課題があり、加湿能力を安定的に発揮することが要求されている。
【０００８】
本発明は、このような従来の課題を解決するものであり、送風量を増加できるとともに、騒音値を下げることができ、また、加湿能力を安定的に発揮することができる加湿装置を提供することを目的としている。
【課題を解決するための手段】
【０００９】
本発明の加湿装置は上記目的を達成するために、吸込口と吹出口を連通し形成された空気流路に送風手段を設けた本体と、この本体の空気流路に給水タンクから一定水位に保たれるように設けた水槽と、この水槽の貯留水に常に下部を浸し、前記空気流路内に回転可能に軸支される複数の加湿フィルター部とを備え、前記加湿フィルター部を、円板状の支持部と、この支持部の表面に設けた加湿体とにより構成したものである。
【００１０】
この手段により、送風量を増加できるとともに騒音値を下げることができる加湿装置が得られる。
【００１１】
また、他の手段は、円板状の支持部に保水用の開口部を形成したものである。
【００１２】
この手段により、加湿量の増加を図ることのできる加湿装置が得られる。
【００１３】
また、他の手段は、支持部を保水性素材で形成したものである。
【００１４】
この手段により、加湿能力を安定的に発揮することができる加湿装置が得られる。
【００１５】
また、他の手段は、支持部を多孔性の通水可能な素材で形成したものである。
【００１６】
この手段により、加湿効率を向上させることができる加湿装置が得られる。
【００１７】
また、他の手段は、加湿フィルター部の加湿体を、支持部の周縁部から中央部に向かい徐々に厚みを大きく形成したものである。
【００１８】
この手段により、送風量を増加させることができる加湿装置が得られる。
【００１９】
また、他の手段は、加湿フィルター部の加湿体を、支持部の周縁部と中央部に挟まれる円環部の厚みが、前記周縁部と中央部より大きくなるように形成したものである。
【００２０】
この手段により、送風量を増加し、加湿効率を向上できる加湿装置が得られる。
【００２１】
また、他の手段は、加湿フィルター部の支持部を、一対の補助円板により形成し、前記補助円板間に通水手段を設けたものである。
【００２２】
この手段により、加湿能力を向上することができる加湿装置が得られる。
【００２３】
また、他の手段は、通水手段と加湿体間に設けられる補助円板に、多数の通気孔を形成したものである。
【００２４】
この手段により、安定した加湿を行なうことができる加湿装置が得られる。
【００２５】
また、他の手段は、通水手段を、補助円板の間に保水性素材を設けて構成したものである。
【００２６】
この手段により、加湿能力を安定的に発揮できる加湿装置が得られる。
【００２７】
また、他の手段は、通水手段を、補助円板の間に中心から放射状に広がる複数の通水リブを配設し、構成したものである。
【００２８】
この手段により、加湿体に広範囲に水を供給することができ、加湿能力を向上させることができる加湿装置が得られる。
【００２９】
また、他の手段は、通水リブの設けられる補助円板の周縁近傍に保水用曲げ部を形成したものである。
【００３０】
この手段により、加湿体に一定量の水を供給できる加湿装置が得られる。
【００３１】
また、他の手段は、補助円板に設けられる通水リブを湾曲形状に形成したものである。
【００３２】
この手段により、加湿体に一定量の水を安定供給して加湿能力を安定して発揮することができる加湿装置が得られる。
【発明の効果】
【００３３】
本発明によれば、加湿量を増加できるとともに、騒音値を下げることができるという効果のある加湿装置を提供できる。
【００３４】
また、加湿能力を安定的に発揮することができるという効果のある加湿装置を提供できる。
【００３５】
また、加湿効率を向上することができるという効果のある加湿装置を提供できる。
【００３６】
また、加湿体に一定量の水を安定的に供給できるという効果のある加湿装置を提供できる。
【発明を実施するための最良の形態】
【００３７】
本発明の請求項１記載の発明は、吸込口と吹出口を連通し形成された空気流路に送風手段を設けた本体と、この本体の空気流路に給水タンクから一定水位に保たれるように設けた水槽と、この水槽の貯留水に常に下部を浸し、前記空気流路内に回転可能に軸支される複数の加湿フィルターとを備え、前記加湿フィルター部を、円板状の支持部と、この支持部の表面に設けた加湿体とにより構成したものであり、空気流路に平行に配置された複数の加湿フィルター部間をスムーズに空気が通ることにより、加湿フィルター部の圧力損失が少なくなり、送風量を増加できるとともに騒音値を下げることができるという作用を有する。
【００３８】
また、請求項２記載の発明は、円板状の支持部に保水用の開口部を形成したものであり、加湿フィルター部の回転により、下方位置では保水用の開口部が貯留水の水をすくって貯え、上方位置に回転したとき、加湿体に水を流下させて供給することができるという作用を有する。
【００３９】
また、請求項３記載の発明は、支持部を、保水性素材で形成したものであり、運転中は水槽の貯留水に浸されている加湿フィルター部の下部だけでなく、連続して加湿フィルター部の中央部まで給水することができ、加湿能力を安定的に発揮することができるという作用を有する。
【００４０】
また、請求項４記載の発明は、支持部を、多孔性の通水可能な素材で形成したものであり、運転中は水槽の貯留水に浸されている加湿フィルター部の下部だけでなく、連続して加湿フィルター部の中央部まで給水することができ、加湿フィルター部の濡れた表面積が増えることにより、加湿効率を向上することができるという作用を有する。
【００４１】
また、請求項５記載の発明は、加湿フィルター部の加湿体を、支持部の周縁部から中央部に向かい徐々に厚みを大きく形成したものであり、加湿フィルター部の空気の入口側がやや広くなり、通過気流は進入しやすくなり騒音の発生が少なくなるとともに加湿体の表面に接触しやすくなるため、加湿能力を向上することができるという作用を有する。
【００４２】
また、請求項６記載の発明は、加湿フィルター部の加湿体を、支持部の周縁部と中央部に挟まれる円環部の厚みが、前記周縁部および中央部より大きくなるように形成したものであり、加湿体の表面積がやや増えるとともに、加湿フィルター部の中央付近にも通風しやすくして、加湿効率を向上することができるという作用を有する。
【００４３】
また、請求項７記載の発明は、加湿フィルター部の支持部を、一対の補助円板により形成し、前記補助円板間に通水手段を設けたものであり、加湿フィルター部の下部が貯留水に浸されているときに、通水手段に一時的に水が貯えられ、加湿フィルター部の回転で貯えた水は通水手段を伝わり、下方に移動して補助円板の内側（中心方向）の加湿体に移動することで加湿体全体に給水することができ、加湿能力を向上することができるという作用を有する。
【００４４】
また、請求項８記載の発明は、通水手段と加湿体間に設けられる補助円板に、多数の通水孔を形成したものであり、通水手段に一時的に貯えられた水は、補助円板の多数の通水孔を通して加湿体に満遍なく供給され、加湿体から安定して加湿することができるという作用を有する。
【００４５】
また、請求項９記載の発明は、通水手段を、補助円板の間に保水性素材を設けて構成したものであり、保水性素材により加湿フィルター部の下部で水槽の水を吸い上げて貯え、回転に応じて加湿フィルター部の上部から中央部まで均等に給水することができ、加湿能力を安定的に発揮することができるという作用を有する。
【００４６】
また、請求項１０記載の発明は、通水手段を、補助円板の間に中心から放射的に広がる複数の通水リブを配設し構成したものであり、加湿フィルター部の回転により、通水リブの先端が貯留水の水を下方位置ですくい上げ、上方位置に回転したとき、すくい上げられた水は通水リブに沿って回転中心方向に移動して、加湿体の広い範囲に水を供給することができるという作用を有する。
【００４７】
また、請求項１１記載の発明は、通水リブの設けられる補助円板の周縁近傍に保水用曲げ部を形成したものであり、加湿フィルター部の回転により、貯留水を下方位置ですくい上げるときに、保水用曲げ部は貯留水を確実に、かつ一定量すくい上げることができ、上方位置に回転したとき加湿体に一定量の水を安定して供給することができるという作用を有する。
【００４８】
また、請求項１２記載の発明は、補助円板に設けられる通水リブを湾曲形状に形成したものであり、湾曲形状の通水リブは、加湿フィルター部の下部ですくい上げた水を、回転により通水リブ上を円滑に移動させることができ、加湿フィルター部の上部から中央部まで略均等に給水することができ、加湿能力を安定して発揮することができる作用を有する。
【００４９】
以下、本発明の実施の形態について図面を参照しながら説明する。
【００５０】
（実施の形態１）
図１〜図６に示すように、吸込口１と吹出口２を連通し形成された空気流路３に送風手段４を設けた本体５の空気流路３に給水タンク６から一定水位に保たれるように水槽７を設け、水槽７の貯留水８に常に下部を浸し、空気流路３内に回転可能に軸支し、回転手段９により回転される複数の加湿フィルター部１０を設け、加湿フィルター部１０を円板状の支持部１１と、支持部１１の表面に加湿体１２を設ける。
【００５１】
また、円板状の支持部１１に、保水用の開口部１３を設け、支持部１１を硬質ウレタンホーム、吸水性合成繊維の積層体、吸水性合成樹脂体などからなる保水性素材１４で形成し構成する。
【００５２】
上記構成において、一定水位に保たれるように給水タンク６から水槽７に給水されている状態で加湿装置を運転すると、送風手段４が駆動し、吸込口１から吹出口２に至る空気流路３に気流が流れるとともに、回転手段９により加湿フィルター部１０が回動し、水槽７の貯留水８に浸っていた加湿フィルター部１０の下部が上部側に移動するとともに空気流路３に流れる気流に接触し、加湿フィルター部１０に含まれる水分が気化し、吹出口２より加湿空気が吹き出されて加湿が行われることとなる。
【００５３】
このように本実施の形態によれば、吸込口１と吹出口２を連通し形成された空気流路３に送風手段４を設けた本体５と、本体５の空気流路３に給水タンク６から一定水位が保たれるように設けた水槽７と、水槽７の貯留水８に常に下部を浸し、空気流路３内に回転可能に軸支される複数の加湿フィルター部１０とを備え、加湿フィルター部１０を、円板状の支持部１１と、支持部１１の表面に設けた加湿体により構成したので、空気流路３に平行に配置された複数の加湿フィルター部１０をスムーズに空気が通ることにより、加湿フィルター部１０の圧力損失が少なくなり、送風量が増加できるとともに、騒音値を下げることができることとなる。
【００５４】
また、円板状の支持部１１に保水用の開口部１３を形成したので、加湿フィルター部１０の回転により下方位置では保水用の開口部１３が水槽７の貯留水８の水をすくって貯え、上方位置に回転移動したときに、加湿体１２に水を流下させて供給することができ、加湿効率が高められることとなる。
【００５５】
また、支持部１１を保水性素材１４で形成したので、水槽７の貯留水８に浸されている加湿フィルター部の下部だけでなく、連続して加湿フィルター部１０の中央付近まで給水することができ、加湿能力を安定的に発揮することができることとなる。
【００５６】
（実施の形態２）
図７に示すように、加湿フィルター部１０Ａの支持部１１Ａを、多孔性のセラミック体や合成樹脂体、不織布やステンレス金網の積層体などからなる多孔性の通水可能な素材１５で形成し構成する。
【００５７】
上記構成において、運転中は水槽の貯留水（図示せず）に浸されている加湿フィルター部１０Ａの下部だけでなく、連続して加湿フィルター部１０Ａの中央付近まで通水可能な素材１５を介して給水することができ、加湿フィルター部１０Ａの湿潤した表面積が増えることとなり、加湿効率を向上させることができることとなる。
【００５８】
（実施の形態３）
図８に示すように、加湿フィルター部１０Ｂの加湿体１２Ａを、支持部１１Ｂの周縁部１６から中央部１７にかけて徐々に厚みを大きく形成し構成する。
【００５９】
上記構成において、加湿フィルター部１０Ｂの外周付近の通風面は内周側より大となり、通風抵抗を小さくして風量を増やすとともに騒音を下げることができ、さらに回転に伴ない貯留水（図示せず）に浸されている加湿フィルター部１０Ｂの下部側の周縁部１６から、厚みの大きい中央部１７に連続して水分が移動して広がり、加湿フィルター部１０Ｂの濡れた表面積が増えることとなり、加湿効率を向上することができることとなる。
【００６０】
（実施の形態４）
図９に示すように、加湿フィルター部１０Ｃの加湿体１２Ｂを、支持部１１Ｃの周縁部１６Ａと中央部１７Ａに挟まれる円環部１８の厚みが周縁部１６Ａおよび中央部１７Ａより大きくなるように形成し構成する。
【００６１】
上記構成においては、加湿体１２Ｂの表面積が円環部１８を設けることにより、増えるとともに、加湿フィルター部１０Ｃの中央部１７Ａ付近は円環部１８より厚みを薄く形成していることにより通風しやすくなり、通風領域を増やして加湿効率を向上することができることとなる。
【００６２】
（実施の形態５）
図１０に示すように、加湿フィルター部１０Ｄの支持部１１Ｄを一対の補助円板１９により形成し、補助円板１９間に通水手段２０を設け、通水手段２０と加湿体１２Ｃ間に設けられる補助円板１９に多数の通水孔２１を設け通水手段２０を、補助円板１９間に保水性素材１４Ａを設けて構成する。
【００６３】
上記構成において、加湿フィルター部１０Ｄの下部が水槽の貯留水（図示せず）に浸されているときに、通水手段２０に一時的に水が貯えられ、加湿フィルター部１０Ｄの回転に伴ない、貯えられた水が通水手段２０を伝わり下方に移動して補助円板１９の内側の加湿体１２Ｃへと供給されることで、加湿体１２Ｃ全体に給水することができ、加湿能力を向上することができることとなる。
【００６４】
また、通水手段２０に一時的に貯えられた水は、補助円板１９の多数の通水孔２１を通って加湿体１２Ｃ全体に満遍なく供給され、加湿体１２Ｃから安定して加湿をすることができることとなる。
【００６５】
また、補助円板１９間に設けた保水性素材１４Ａは加湿フィルター部１０Ｄの周縁部１６Ｂから中央部１７Ｂまで略均等に給水することができ、加湿能力を安定的に発揮することができることとなる。
【００６６】
（実施の形態６）
図１１および図１２に示すように、加湿フィルター部１０Ｅに設けられる通水手段２０Ａを、補助円板１９Ａの間に中心から放射状に広がる通水リブ２２を配設し、通水リブ２２の設けられる補助円板１９Ａの周縁近傍に保水用曲げ部２３を形成し構成する。
【００６７】
上記構成においては、加湿フィルター部１０Ｅの回転により、通水リブ２２の先端が水槽の貯留水（図示せず）の水を下方位置ですくい上げ上方位置に回転したときに、すくい上げられた水は通水リブ２２の回転中心方向に移動して加湿体１２Ｄの広い範囲に水を供給することができることとなる。
【００６８】
また、加湿フィルター部１０Ｅの回転により、貯留水の下方位置ですくい上げるときに、保水用曲げ部２３は貯留水を確実に、かつ一定量すくい上げることができ、上方位置に回転したときに加湿体１２Ｄに一定量の水を安定して供給することができることとなる。
【００６９】
（実施の形態７）
図１３および図１４に示すように、加湿フィルター部１０Ｆに設けた補助円板１９Ｂに設けられる通水リブ２２Ａを湾曲形状に構成する。
【００７０】
上記構成においては、湾曲形状の通水リブ２２Ａは、加湿フィルター部１０Ｆの下部ですくい上げた水を、回転により通水リブ２２Ａ上を円滑に移動させることができ、加湿フィルター部１０Ｆの周縁部１６Ｃから中央部１７Ｃまで略均等に給水することができ、加湿能力を安定して発揮させることとなる。
【００７１】
なお、実施の形態では、送風手段から送られる空気を直接加湿フィルター部に送風しているが、ヒーター等の加熱手段を用いて加熱した空気を加湿フィルター部に送風しても良いことはいうまでもない。
【産業上の利用可能性】
【００７２】
圧力損失が少なく、送風量が増加できるとともに、騒音値を下げることのできる加湿フィルター部を用いることにより、小形で安定的な放香を可能とする放香器の用途にも適用できる。
【図面の簡単な説明】
【００７３】
【図１】本発明の実施の形態１の加湿装置の側面略断面図
【図２】同加湿装置の正面略断面図
【図３】同加湿装置の加湿フィルター部の斜視図
【図４】同加湿装置の加湿フィルター部の正面図
【図５】同加湿装置の加湿体の一部支持部を露出した正面図
【図６】同加湿装置の加湿フィルター部の一部破断した断面図
【図７】本発明の実施の形態２の加湿装置の加湿フィルター部の一部破断した断面図
【図８】本発明の実施の形態３の加湿装置の加湿フィルター部の一部を破断した断面図
【図９】本発明の実施の形態４の加湿装置の加湿フィルター部の一部を破断した断面図
【図１０】本発明の実施の形態５の加湿装置の加湿フィルター部の一部を破断した断面図
【図１１】本発明の実施の形態６の加湿装置の加湿フィルター部の一部を破断した断面図
【図１２】同加湿装置の補助円板の正面図
【図１３】本発明の実施の形態７の加湿装置の補助円板の正面図
【図１４】同加湿装置の加湿フィルター部の一部破断した断面図
【図１５】従来の加湿器の要部を示す正面断面図
【図１６】同加湿器の要部を示す側面断面図
【図１７】同加湿器の気化フィルターの斜視図
【符号の説明】
【００７４】
１      吸込口
２      吹出口
３      空気流路
４      送風手段
５      本体
６      給水タンク
７      水槽
８      貯留水
９      回転手段
１０    加湿フィルター部
１０Ａ  加湿フィルター部
１０Ｂ  加湿フィルター部
１０Ｃ  加湿フィルター部
１０Ｄ  加湿フィルター部
１１    支持部
１１Ａ  支持部
１１Ｂ  支持部
１１Ｃ  支持部
１１Ｄ  支持部
１２    加湿体
１２Ａ  加湿体
１２Ｂ  加湿体
１２Ｃ  加湿体
１３    開口部
１４    保水性素材
１４Ａ  保水性素材
１５    通水可能な素材
１６    周縁部
１６Ａ  周縁部
１７    中央部
１７Ａ  中央部
１８    円環部
１９    補助円板
１９Ａ  補助円板
１９Ｂ  補助円板
２０    通水手段
２０Ａ  通水手段
２１    通水孔
２２    通水リブ
２２Ａ  通水リブ
２３    保水用曲げ部
【図１】
2007139251.tif 000003
【図２】
2007139251.tif 000004
【図３】
2007139251.tif 000005
【図４】
2007139251.tif 000006
【図５】
2007139251.tif 000007
【図６】
2007139251.tif 000008
【図７】
2007139251.tif 000009
【図８】
2007139251.tif 000010
【図９】
2007139251.tif 000011
【図１０】
2007139251.tif 000012
【図１１】
2007139251.tif 000013
【図１２】
2007139251.tif 000014
【図１３】
2007139251.tif 000015
【図１４】
2007139251.tif 000016
【図１５】
2007139251.tif 000017
【図１６】
2007139251.tif 000018
【図１７】
2007139251.tif 000019